(57)【要約】【課題】牽引されて蓮根田を滑走する田舟では、茎等の障害物が先端に堆積して滑走困難となり、また運搬のため大きさが制限され、安定性が充分でない。【解決手段】複数のフロート６１〜６４をフレーム部材２２，２３で一体に連結したフレーム集合体５に肥料散布装置１６を搭載する。外側のフロート６１，６４は、固定ピン４６によりフレーム部材２３の取付位置が変更されて、間隔Ｌ２が調節される。各フロートの先端に突尖状のガイド部材２５が設けられる。【選択図】図３
2007244337.tif 000002
【特許請求の範囲】
【請求項１】
所定重量物を搭載し、湿田上を牽引されて滑走する湿田用被牽引装置であって、
滑走方向に長い筒状で内部が密閉空間となっている複数のフロートと、
これら複数のフロートを幅方向に並べて一体に連結するフレーム部材と、
一体に連結した前記複数のフロートの浮力により湿田上を滑走することを特徴とする湿田用被牽引装置。
【請求項２】
前記複数のフロートのうちの少なくとも幅方向外側のものを、その内側に隣接する前記フロートに対して幅方向の間隔を変更自在に前記フレーム部材に連結し、
前記複数のフロート全体の幅方向を変更可能に構成した、
請求項１記載の湿田用被牽引装置。
【請求項３】
前記複数のフロートのうちの少なくとも幅方向外側のものを、その内側に隣接する前記フロートに対してフロートの長さ方向に変更自在に前記フレーム部材に連結し、
前記複数のフロート全体の長さ方向を変更可能に構成した、
請求項１又は２記載の湿田用被牽引装置。
【請求項４】
前記フロートの滑走方向先端部に、泥等を左右にかき分ける突尖状のガイド部材を設けてなる、
請求項１ないし３のいずれか記載の湿田用被牽引装置。
【請求項５】
前記所定重量物が、肥料散布装置である、
請求項１ないし４のいずれか記載の湿田用被牽引装置。
【発明の詳細な説明】
【技術分野】
【０００１】
本発明は、湿田に用いられ、牽引車輌により牽引され湿田上を滑走する被牽引装置に係り、特に、蓮根田に肥料を散布する肥料散布装置に用いて好適であり、詳しくは被牽引装置のフロート構造に関する。
【背景技術】
【０００２】
従来、牽引車輌に装着された代掻作業機と、牽引車輌に牽引される田舟に搭載された肥料散布装置と、を備え、蓮根田において、代掻作業時に同時に肥料散布と可能とした作業機ユニットが案出されている（特許文献１参照）。
【０００３】
該作業機ユニットにより、代掻作業と同時に肥料散布を行なえ、作業時間の短縮を図ることができると共に作業者の負担が軽減され、かつ代掻きされたばかりの土壌中に肥料が混入しやすくなり、肥料の散布効率を向上できる。
【０００４】
【特許文献１】特開２００４−５７０８２号公報
【発明の開示】
【発明が解決しようとする課題】
【０００５】
上記従来の肥料散布装置は、平面視矩形状の田舟に搭載されているため、代掻作業機に牽引されて湿田上を滑走する際、代掻き作業により撹拌されて浮上がった茎等の蓮根の残滓が、障害物となって上記田舟の前方部分に引っ掛って堆積し、肥料散布装置搭載田舟の円滑な滑走を阻害してしまう。このため、代掻き・肥料作業を中断して、上記田舟に引っ掛った茎等を取り除く作業を度々行う必要が生じ、作業効率低下の原因となっている。
【０００６】
また、上記田舟は、その平面視面積が一定であるため、軽トラック等による運搬上の規制から、その大きさが規定されて、田舟の浮力が充分でない。このため田舟への肥料の積載量が制限されると共に、田舟が幅方向に安定せず、肥料ホッパの残量により田舟の搭載姿勢が変化して、肥料の散布範囲が不均一になる等の肥料散布上の問題も生じる。
【０００７】
そこで、本発明は、湿田上の滑走に際して、茎等の障害物が引っ掛り難い構成にすると共に、充分で安定した浮力を有するようにして、もって上述した課題を解消した湿田用被牽引装置を提供することを目的とするものである。
【課題を解決するための手段】
【０００８】
請求項１に係る本発明は、所定重量物（１６）を搭載し、湿田上を牽引されて滑走する湿田用被牽引装置であって、
滑走方向に長い筒状で内部が密閉空間となっている複数のフロート（６）と、
これら複数のフロートを幅方向に並べて一体に連結するフレーム部材（２２，２３）と、
一体に連結した前記複数のフロートの浮力により湿田上を滑走することを特徴とする湿田用被牽引装置にある。
【０００９】
請求項２に係る本発明は、前記複数のフロートのうちの少なくとも幅方向外側（６１，６４）のものを、その内側に隣接する前記フロート（６２，６３）に対して幅方向の間隔を変更自在に前記フレーム部材（２３）に連結し、
前記複数のフロート全体（５）の幅方向を変更可能に構成した、
請求項１記載の湿田用被牽引装置にある。
【００１０】
請求項３に係る本発明は、前記複数のフロートのうちの少なくとも幅方向外側（６１，６４）のものを、その内側に隣接する前記フロート（６２，６３）に対してフロートの長さ方向に変更自在に前記フレーム部材（２３）に連結し、
前記複数のフロート全体（５）の長さ方向を変更可能に構成した、
請求項１又は２記載の湿田用被牽引装置にある。
【００１１】
請求項４に係る本発明は、前記フロート（６）の滑走方向先端部に、泥等を左右にかき分ける突尖状のガイド部材（２５）を設けてなる、
請求項１ないし３のいずれか記載の湿田用被牽引装置にある。
【００１２】
請求項５に係る本発明は、前記所定重量物が、肥料散布装置（１６）である、
請求項１ないし４のいずれか記載の湿田用被牽引装置にある。
【発明の効果】
【００１３】
請求項１に係る本発明によると、湿田用被牽引装置は、フレーム部材により幅方向に並べて一体に連結された複数の筒状のフロートからなり、各フロートはそれぞれ内部に密閉された空間を有し、かつ作業時にあってはそれぞれ間隔をあけて連結されているので、充分な浮力を有すると共に幅方向に安定して、かつ牽引されて湿田上を滑走する際、茎等の障害物は、各フロートで左右に振り分けられ、前方に堆積して滑走の障害となることを減少することができる。
【００１４】
請求項２に係る本発明は、複数のフロート全体の全幅方向を変更自在としたので、例えば運搬時にあっては、全幅を最小として運搬に支障のない幅とすることができるものでありながら、湿田上での使用状態にあっては、全幅を拡げて安定した滑走を行うことができ、更に肥料等の積載物の量、湿田の状態、湿田中の茎等の障害物の量等の環境又は作業の種類、条件等の要求安定度により、全幅を調節して、高い安定度で滑走を行うことができる。
【００１５】
請求項３に係る本発明によると、複数のフロート全体のフロート長さ方向を変更自在としたので、運搬性能、使用時の滑走安定性能を向上することができる。
【００１６】
請求項４に係る本発明によると、フロートの先端部に突尖状のガイド部材を設けたので、泥等をかき分けて滑走抵抗を減少すると共に、茎等の障害物の振り分け性能を向上することができる。
【００１７】
請求項５に係る本発明によると、肥料散布装置を搭載して、例えば代掻作業機を装着した牽引車輌にて牽引して蓮根田に用いることにより、蓮根の茎等の障害物が引っ掛ることによる作業中断を減少し、かつ１度に多くの肥料を搭載すると共に肥料ポッパの残留肥料による肥料散布装置の姿勢変化を減少して、精度の高い肥料作業を高い作業効率にて行うことができる。
【発明を実施するための最良の形態】
【００１８】
以下、図面に沿って、本発明の実施の形態について説明する。代掻き・肥料散布作業機ユニット１は、図１及び図２に示すように、牽引車輌２と、作業者搭乗用田舟３と、本発明に係る肥料散布装置搭載フロート集合体（湿田用被牽引装置）５とからなり、互いに連結部材７，８を介して走行方向に直列的に連結されている。
【００１９】
牽引車輌１は、カゴ型の水田車輪１０を装着した歩行型管理機からなり、エンジン１１からの動力が水田車輪１０に伝達され、蓮根田等の湿田を走行すると共に代掻き作業を行う。該管理機２には、連結ピン１４を介して後方に延びる連結部１２が装着されていると共に、機体から後方に延出して操作ハンドル１３が設けられている。
【００２０】
前記連結部１２の後端には、田舟３の先端が連結部材７を介して回動自在に連結されており、これにより田舟３が管理機２に牽引される。田舟３には作業者が搭乗して、操作ハンドル１３を持って管理機２を運転しつつ肥料散布装置１６を操作する。田舟３は、上面が平面視矩形状からなり、上面がフラットに構成された水密状の平板状フロートからなる。該田舟３の後端部には連結部材８が回転自在に連結されており、該連結部材８の後端に上記肥料散布装置搭載フロート集合体５の連結部１９がピン２０により連結されている。前記フロート６…の先端部には、平面視三角形状の突尖状のガイド部材２５が設けられており、これらガイド部材２５により、フロート集合体５が湿田上を滑走する際、各フロート６が泥及び茎等の障害物を左右に振り分ける。
【００２１】
フロート集合体５（被牽引装置）は、図３及び図４に詳示するように、複数（本実施の形態では４個）の円筒状（筒状）の細長いフロート６…からなり、これらフロート６は、すべて同じ径及び長さの塩化ビニール製のパイプからなり、互に幅方向に並べて複数のフレーム部材からなるフレーム組立体２０により一体に連結されている。各フロート６は、内部が密閉空間となっており、それぞれ充分な浮力を有している。なお、図１において（図３、図５においても同様）、Ａは湿田（蓮根田）の水面、Ｂは泥面を示す。なお、上記フロート６は、すべて同じ長さ、径のものでなくてもよく、また塩化ビニール以外の材料により形成されてもよい。
【００２２】
上記フロート集合体５上には、肥料散布装置１６が搭載されている。該肥料散布装置１６は、肥料ホッパ２７と、該ホッパ内の肥料を撹拌したり散布するための動力源となるエンジン２９とを有しており、これらを載置するフレーム３０が、中央２本のフロート６２，６３上に設けられた載置枠体３１上に固定されている。肥料ホッパ２７の下部には、肥料落下口２７ａを開口又は閉塞するシャッタ３１が配置されており、上記落下口２７ａからはシュータ３２（図１参照）を介して肥料拡散散布円盤３３が配設されている。また、ホッパ２７内には撹拌棒３５が配置されており、これら円盤３３及び撹拌棒３５が図示しない動力伝達装置を介して前記エンジン２９により駆動される。
【００２３】
前記肥料ホッパ２７は、前記載置フレーム３０に設けられた複数の支持杆３６により固定されており、該散布円盤３３は、前記載置フレーム３０にブラケット３７（図１参照）を介して配置されている。該載置フレーム３０には、ホッパ２７の前方においてエンジン２９が固定されていると共に、該エンジンを覆うエンジンカードフレーム３９が固定されている。
【００２４】
エンジン右側方のフレーム組立体２０に枢支されてシャッターリンクプレート４０が配置されており、該リンクプレートの枢支軸近傍には前方（作業者搭乗用田舟３）に向って延びる操作レバー４１が固定されている。前記リンクプレート４０の先端部に取付け位置を変更自在にロッド３８が連結されており、該ロッド３８は、シャッタ量調整装置４２及びアーム４４を介して前記肥料シャッタ３１に連結されている。
【００２５】
前記各フロート６の前後部分にはそれぞれ取付ブラケット４５が固着されており、かつ前記フレーム組立体２０は、内側の２個のフロート６２，６３のブラケット４５を互いに連結する内側横フレーム部材２２，２２と、左右外側の２個のフロート６１，６２と６３，６４のブラケット４５を互いに連結する外側横フレーム２３，２３とからなる。内側横フレーム２２，２２はその固定位置が一定であって、両フロート６２，６３の間隔Ｌ１は一定に保持される。左右及び前後の外側横フレーム２３は、最外側のフロート６１，６４に対して一定位置に固定されていると共に、内側のフロート６２，６３に対しては、取付けブラケット４５に設けられたパイプ４９に摺動自在に嵌挿され、かつ固定用連結用孔２３ａ，２３ｂ，２３ｃがそれぞれ３個設けられており、これら連結用孔を選択して固定ピン４６を挿入することにより、間隔を調節して固定することができる。
【００２６】
従って、図３、図４に示すように、固定ピン４６を標準用連結孔２３ａに挿入して固定することにより、両側のフロート６１，６２と６３，６４の間隔Ｌ２からなる、フロート集合体（被牽引装置）５の全幅が標準作業状態になり、図５、図７に示すように、固定ピン４６を幅広用連結孔２３ｂに挿入して固定することにより、両側のフロート６１，６２と６３，６４の間隔Ｌ３からなる、フロート集合体５の全幅が幅広作業状態となり、図６、図８に示すように、固定ピン４６を幅狭用連結孔２３ｃに挿入して固定することにより、両側のフロート６１，６２と６３，６４の間隔Ｌ４からなる、フロート集合体５の全幅が運搬時又は収納時に用いられる幅狭状態となる。
【００２７】
図９は、左右最外側のフロート６１，６４を、内側のフロート６２と６３に対して前方に移動して固定した状態を示す。この状態では、図４に示す標準状態の長さ方向間隔ＬＡに対して、長い間隔ＬＢとなっており、フロート集合体５の全長が変更される。変更方法としては、左右外側の取付ブラケット４５のフロート６１，６４に対する取付け位置を前後に調節する等の周知な変更固定手段にて行うことができる。なお、図９は、幅方向が標準作業幅状態に設定しているが、これに限らず、幅広作業状態において全長を長くして、幅方向に限らず、前後方向の安定を高めてもよく、また幅狭収納・運搬幅状態において全長を短くして（例えば各フロートの前後方向差を０にする）、フロート集合体５の平面面積を更にコンパクトにしてもよい。
【００２８】
なお、図４において、符号５１は連結部１９の補助フレームであり、５２は作業者の足場となるステップ板である。
【００２９】
なお、フロート集合体５は、内側の２本のフロート６２，６３が内側横フレーム部材２２により固定されて一定関係に保持され、左右の２本のフロート６１，６４が上記内側フロート６２，６３に対して同じ間隔になるように変更される。従って、フロート集合体５は、重量物である肥料散布装置１６に対して左右対称にあり、左右に複数分割された構造からなる。
【００３０】
ついで、本代掻き・肥料散布作業機ユニット１を用いた作業について説明する。作業者は、田舟３に乗って、牽引車輌である管理機２をハンドル１３により操作して、蓮根田上を走行しつつ代掻き作業を行う。管理機２の走行に伴い、連結部材７，８を介して田舟３及びフロート集合体５が牽引されて湿田上を滑走する。田舟３上の作業者は、上記管理機２の操作と同時に、ハンドル４１を持って肥料散布装置１６のシャッタ３１を操作する。これにより、蓮根田において、代掻き作業と同時に肥料の散布作業が行われる。
【００３１】
蓮根田は、蓮根の茎等の長尺の障害物が残っており、代掻き作業により泥と共に障害物が浮上り、重量物である肥料散布装置１６を搭載しているフロート集合体５の前方に上記障害物が当るが、フロート集合体５は複数のフロート６によりそれぞれ間隔を設けて分割して構成されるので、障害物は、泥と共に各フロート６の先端が掻き分けられ、特に各フロートの先端には突尖状のガイド部材２５が固定されているので、該ガイド部材２５により障害物は泥と共に左右に分けられて、各フロートの間及び外側に流される。これにより、フロート集合体５の前方に障害物が堆積して滑走困難になることを減少して、障害物の除去作業のために代掻き・肥料散布作業を中断する回数を大幅に減少できると共に、フロート集合体の滑走抵抗を減少して、作業機ユニットの速い走行を可能にし、作業効率を向上する。
【００３２】
また、フロート集合体６の全幅又は全長が、湿田状態、作業状態、肥料等の搭載重量等により、図３，図４に示す標準作業幅状態、図５，図７に示す幅広作業幅状態、図９に示す全長延長状態に選択される。フロート集合体５は、各フロート６がそれぞれ充分な浮力を有すると共に、環境によって全幅及び／又は全長が調節されて、幅方向及び／又は長さ方向の適正な安定が得られる。これにより、肥料散布装置１６による適正な肥料散布が行われる。
【００３３】
作業が終了してトラックにより運搬し収納する際、図６，図８に示すように、フロート集合体５は、幅狭収納・運搬時幅状態に変更される。これにより、フロート集合体５は、肥料散布装置１６を搭載・固定したままで平面視コンパクトな状態になって、容易に運搬及び収納される。
【００３４】
なお、上述した肥料散布装置は、フロート集合体５に搭載・固定したエンジン２９により駆動されるが、これは、管理機等の牽引車輌のＰＴＯ軸からフレキシブル継手等の伝動手段を介して伝達してもよい。また、本フロート集合体５を、田舟３に代えて作業者搭乗用としても用いてもよい。
【００３５】
また、本フロート集合体は、上記肥料散布装置に用いて好適であるが、これに限らず、例えば蓮根田での収穫物の運搬、収穫作業時のコンプレッサ搭載、更には蓮根田以外の湿田での使用等、他の用途に用いてもよいことは勿論である。
【図面の簡単な説明】
【００３６】
【図１】本発明を肥料散布装置に適用した作業機ユニット全体を示す側面図。
【図２】その平面図。
【図３】肥料散布装置を搭載したフロート集合体（被牽引装置）を示す正面図（標準作業幅状態）。
【図４】その平面図。
【図５】幅広作業幅状態のフロート集合体の正面図。
【図６】幅狭収納・運搬時幅状態のフロート集合体の正面図。
【図７】幅広作業幅状態のフロート集合体の平面図。
【図８】幅狭収納・運搬時幅状態のフロート集合体の平面図。
【図９】全長延長状態（標準作業幅状態）のフロート集合体の平面図。
【符号の説明】
【００３７】
１      作業機ユニット
２      牽引車輌（管理機）
３      田舟
５      湿田用被牽引装置（フロート集合体）
６，６１〜６４      フロート
１６      重量物（肥料散布装置）
２０      フレーム組立体
２２      （内側）フレーム部材
２３      （外側）フレーム部材
２５      ガイド部材
【図１】
2007244337.tif 000003
【図２】
2007244337.tif 000004
【図３】
2007244337.tif 000005
【図４】
2007244337.tif 000006
【図５】
2007244337.tif 000007
【図６】
2007244337.tif 000008
【図７】
2007244337.tif 000009
【図８】
2007244337.tif 000010
【図９】
2007244337.tif 000011